(57)【要約】【課題】  バッテリ及び充電回路に生じた熱を効果的に放熱することができるとともに、充電装置の管理を簡素化しユーザの利便性を向上させることができる充電装置を提案することを目的とする。【解決手段】  バッテリを装着する機構（バッテリ収納部分１２）と、装着されたバッテリにＡＣ電源アダプタ１０２からの電源を充電し、電子機器１に対してＡＣ電源アダプタ１０２又はバッテリからの電源を供給する充電回路（充電回路収納部分１３）とを備え、電子機器１に着脱可能であって、かつ電子機器１に装着時はこの電子機器１の背面部１ｂに位置するヒンジ部１４，１５と結合し回動支点を中心に開閉自在に回動するスタンドとして機能するよう構成する。【選択図】        図２
2005218289.tif 000002
【特許請求の範囲】
【請求項１】
バッテリを装着する機構と、
装着されたバッテリにＡＣ電源アダプタからの電源を充電し、電子機器に対して前記ＡＣ電源アダプタ又は前記バッテリからの電源を供給する充電回路とを備え、
前記充電回路は前記電子機器に着脱可能に構成されており、かつ前記電子機器への装着時は前記電子機器の背面部に位置する回動支点を中心に開閉自在に回動するスタンドとして機能するよう構成されている
ことを特徴とする充電装置。
【請求項２】
前記充電回路は、前記電子機器に対して供給する前記ＡＣ電源アダプタ又は前記バッテリからの電源を切り替える切替え手段と、
所定の条件に基づいて前記切替え手段の切替えを制御する制御手段と
を有することを特徴とする請求項１記載の充電装置。
【請求項３】
前記制御手段は、前記充電装置が前記電子機器に装着されていることを確認して給電命令を行い、また、前記充電装置に前記バッテリが装着されていることを確認して前記バッテリの充電命令を行う
ことを特徴とする請求項２記載の充電装置。
【請求項４】
前記充電装置は、前記電子機器との接合面に前記電子機器と電気的に接続するための端子を備え、前記電子機器に前記充電装置を装着する際には、前記端子が前記電子機器の結合面に設けられた対の端子と接触する
ことを特徴とする請求項１記載の充電装置。
【請求項５】
ＡＣ電源アダプタ又はバッテリから供給される電源により駆動する電子機器であって、
前記バッテリを装着する機構と、装着されたバッテリに前記ＡＣ電源アダプタからの電源を充電するとともに、前記電子機器に対して前記ＡＣ電源アダプタ又は前記バッテリからの電源を供給する充電回路とから構成される充電装置を備え、
前記充電装置は前記電子機器に着脱可能に設けられ、かつ前記電子機器への装着時は前記電子機器の背面部に位置する回動支点を中心に開閉自在に回動するスタンドとして機能するよう構成されている
ことを特徴とする電子機器。
【請求項６】
前記充電装置の充電回路は、前記電子機器に対して供給する前記ＡＣ電源アダプタ又は前記バッテリからの電源を切り替える切替え手段と、所定の条件に基づき前記切替え手段の切替えを制御する制御手段と
を有することを特徴とする請求項５記載の電子機器。
【請求項７】
前記充電装置の制御手段は、前記充電装置が前記電子機器に装着されていることを確認して給電命令を行い、また、前記充電装置に前記バッテリが装着されていることを確認して前記バッテリの充電命令を行う
ことを特徴とする請求項６記載の電子機器。
【請求項８】
前記電子機器は、前記充電装置との結合面に前記充電装置と電気的に接続するための端子を備え、前記電子機器に前記充電装置を装着する際には、前記端子が前記充電装置の結合面に設けられた対の端子と接触する
ことを特徴とする請求項５記載の電子機器。
【発明の詳細な説明】
【技術分野】
【０００１】
本発明は、バッテリを充電する充電装置及びこの充電装置を搭載した電子機器に関する。
【背景技術】
【０００２】
携帯型電話機や携帯情報端末、持ち運びが可能なテレビジョン放送受像機など、各種の電子機器が市販されている。これらの電子機器の電源としてバッテリが多く用いられている。その場合のバッテリを収納するバッテリパックの装着及び保持機構としては、バッテリパックを電子機器本体の一側面からバッテリ収納部に挿入し、バッテリパック収納部にバッテリカバーを装着する構造が一般的である。そして、電子機器に設けられたＤＣ入力端子にＡＣ電源アダプタを接続して商用電源を供給し、内蔵した充電回路を動作させることで、電子機器からバッテリを取り出すことなく容易に充電を行えるようにしている（例えば、特許文献１参照）。
【０００３】
あるいは、バッテリ収納部よりバッテリパックを取り出し付属の充電装置を用いて充電する方法も一般的に行われている。
【０００４】
【特許文献１】特開平１０−９１２８１号公報
【発明の開示】
【発明が解決しようとする課題】
【０００５】
上述のようなバッテリ駆動に使用されるバッテリは、代表的なものにリチウムイオン電池などの２次電池及び水素燃料電池のような燃料電池がある。これらは、充放電時に自己発熱を伴う性質を持っており、この発熱によりバッテリの温度が高温になる。加えて、充電回路においても、充電時に発熱が生じる。特にバッテリ及び充電回路を電子機器本体に収納後にカバーで覆う構造もしくは内蔵する構造のものは、熱が外部に拡散されにくい構造となっており、これらバッテリや充電回路の発熱は、バッテリの電気容量充電回復率の低下を促進させる要因となっていた。とりわけ、急速充電を行う電子機器においては問題となっている。
【０００６】
また、ユーザは、この充電装置を電子機器とは別に管理しなければならず、その管理が煩雑であるという問題があった。
【０００７】
斯かる点に鑑み、本発明は、バッテリ及び充電回路に生じた熱を効果的に放熱することができるとともに、充電装置の管理を簡素化しユーザの利便性を向上させることができる充電装置及びこの充電装置を搭載した電子機器を提案することを目的とするものである。
【課題を解決するための手段】
【０００８】
上記課題を解決し、本発明の目的を達成するため、本発明の充電装置は、バッテリを装着する機構と、装着されたバッテリにＡＣ電源アダプタからの電源を充電し、電子機器に対してＡＣ電源アダプタ又はバッテリからの電源を供給する充電回路とを備え、この充電回路は電子機器に着脱可能に構成されており、かつ電子機器への装着時はこの電子機器の背面部に位置する回動支点を中心に開閉自在に回動するスタンドとして機能するよう構成されていることを特徴とする。
【０００９】
斯かる本発明によれば、充電回路及びバッテリを搭載した充電装置を電子機器に着脱自在、かつスタンドとしても機能させるようにしたので、充電装置を電子機器の一構成部材として取り扱えるとともに、電子機器から取り外して単体の充電装置としても使用することができる。また、充電装置をスタンド等の可動部位に設けることで構造的に電子機器本体から離した状態で使用することができる。
【００１０】
また、上述充電装置の充電回路は、電子機器に対して供給するＡＣ電源アダプタ又はバッテリからの電源を切り替える切替え手段と、所定の条件に基づいて切替え手段の切替えを制御する制御手段とを有することを特徴とする。
【００１１】
斯かる本発明によれば、条件に合わせて電子機器に供給する電源を切替えられるので、電子機器に対し常に適切な電源供給を行うことができる。
【００１２】
また、上述充電装置の制御手段の好適な形態は、この充電装置が電子機器に装着されていることを確認して給電命令を行い、また、この充電装置にバッテリが装着されていることを確認してバッテリの充電命令を行うことを特徴とする。
【００１３】
斯かる本発明によれば、充電装置内の充電回路と電源供給対象の電子機器又はバッテリが接続されていないときは、充電回路からの給電又は充電が行われないようにしたので、充電装置の安全性を向上させることができる。
【００１４】
また、上述充電装置の好適な形態は、前記電子機器との接合面に前記電子機器と電気的に接続するための端子を備え、前記電子機器に前記充電装置を装着する際には、前記端子が前記電子機器の結合面に設けられた対の端子と接触することを特徴とする。
【００１５】
斯かる本発明によれば、充電装置及び電子機器本体のそれぞれの結合面に対の端子を設け装着時に接触するようにしたので、端子のためのスペースを割くことなく、これらの端子を介して充電装置の充電回路から電子機器側の回路へ電源を供給することができる。
【００１６】
また、本発明の電子機器は、ＡＣ電源アダプタ又はバッテリから供給される電源により駆動する電子機器であって、バッテリを装着する機構と、装着されたバッテリにＡＣ電源アダプタからの電源を充電するとともに、電子機器に対してＡＣ電源アダプタ又はバッテリからの電源を供給する充電回路とから構成される充電装置を備え、この充電装置は電子機器に着脱可能に設けられ、かつ電子機器への装着時はこの電子機器の背面部に位置する回動支点を中心に開閉自在に回動するスタンドとして機能するよう構成されていることを特徴とする。
【００１７】
斯かる本発明によれば、充電回路及びバッテリを搭載した充電装置を電子機器に着脱自在、かつスタンドとしても機能させるようにしたので、充電装置を電子機器の一構成部材として取り扱えるとともに、スタンドを電子機器から取り外して単体の充電装置としても使用することができる。また、スタンド等の可動部位を充電装置とすることによって構造的に電子機器本体から離した状態で使用することができる。
【００１８】
また、上述充電装置の充電回路は、電子機器に対して供給するＡＣ電源アダプタ又はバッテリからの電源を切り替える切替え手段と、所定の条件に基づき切替え手段の切替えを制御する制御手段とを有することを特徴とする。
【００１９】
斯かる本発明によれば、条件に合わせて充電装置から電子機器に供給される電源が切り替えられるので、常に適切な電源供給を受けることができる。
【００２０】
また、上述充電装置の制御手段の好適な形態は、充電装置が電子機器に装着されていることを確認して給電命令を行い、また、充電装置にバッテリが装着されていることを確認してバッテリの充電命令を行うことを特徴とする。
【００２１】
斯かる本発明によれば、充電装置内の充電回路と電源供給対象の電子機器、又は充電回路とバッテリが接続されていないときは、充電回路からの給電又は充電が行われないようにしたので、充電装置ひいては電子機器の安全性を向上させることができる。
【００２２】
また、上述電子機器の好適な形態は、充電装置との結合面にこの充電装置と電気的に接続するための端子を備え、電子機器に充電装置を装着する際には、端子が充電装置の結合面に設けられた対の端子と接触することを特徴とする。
【００２３】
斯かる本発明によれば、充電装置及び電子機器本体のそれぞれの結合面に対の端子を設け装着時に接触するようにしたので、端子のためのスペースを割くことなく、これらの端子を介して充電装置の充電回路から電子機器側の回路へ電源を供給することができる。
【発明の効果】
【００２４】
本発明は、充電回路及びバッテリを電子機器の可動部位に搭載するとともに、充電回路及びバッテリを搭載したこの可動部位を充電装置とし電子機器との着脱を自在としたので、この充電装置を電子機器の一構成部材として取り扱えるとともに、電子機器から取り外して単体の充電装置としても使用することができるようになり、ユーザの利便性が向上するという効果が得られる。また、充電装置を可動部位に設けることで構造的に電子機器本体から離すことができ、充電装置から発生する熱を効果的に放熱することができるという効果がある。
【００２５】
また、充電装置を電子機器から取り外して単体の充電装置として使用できることによって、電子機器とは電気的に切り離れた状態での充電動作が可能となり、充電時に電子機器本体への熱的影響を防止することができるとともに、放熱効率を向上させることができるという効果がある。また、ＡＣ電源アダプタ１０２を商用電源に接続できる環境であればどのような場所においても充電が可能となり、ユーザの利便性が向上するという効果がある。
【発明を実施するための最良の形態】
【００２６】
以下、図１〜図５を参照して、本発明の一実施の形態の例の充電装置及びこの充電装置を搭載した電子機器について説明する。
【００２７】
図１は、本発明の電子機器が適用されるモニタ装置を使用したシステム構成の一例を示す図である。以下の実施の形態の例は、図１に示すようなモニタ装置１とベース装置２００からなるシステムのモニタ装置１に、本発明の充電装置を使用した例である。
【００２８】
図１に示すシステムは、住宅内などの限られたエリア内で構築される無線ＬＡＮ（Local Area Network）システムの一種で、モニタ装置１とベース装置２００から構成されている。
【００２９】
モニタ装置１には、例えば正面部１ａに液晶ディスプレイ（ＬＣＤ）２などの表示装置、スピーカ３，４が設けられ、内部にベース装置２００との間の無線通信用のいわゆるパッチアンテナ５，６が設けられている。このＬＣＤ２にはタッチパネル（図示略）が積層されており、ユーザはＬＣＤ２に表示されるアイコン等を押圧するなどのタッチ操作を行いタッチパネルに位置情報を入力することにより、この位置情報と対応する所望の操作を行うことができる。
【００３０】
ベース装置２００には、テレビジョン放送の受信用のチューナ２０１、モデム２０２、及びモニタ装置１との間の無線通信用のいわゆるパッチアンテナ２０３，２０４が設けられている。また、チューナ２０１がテレビジョン放送受信用のアンテナ２１０に接続されるとともに、モデム２０２が電話回線２２０に接続されており、モニタ装置１が、ベース装置２００との間の無線通信によって、テレビジョン放送を受信し、あるいはインターネットにアクセスし、電子メールを送受信することができるように構成されている。
【００３１】
また、ベース装置２００には、外部機器２３０として、ビデオデッキ、ＤＶＤプレーヤー、デジタルＣＳ放送やＢＳデジタル放送の受信用のチューナなどの機器を接続でき、モニタ装置１が、ベース装置２００との間の無線通信によって、外部機器２３０から得られる映像及び音声の情報を受信できるように構成される。さらに、ベース装置２００には、いわゆるＡＶマウスなどのリモコン送信器２５０が接続され、ユーザの入力操作により操作信号がモニタ装置１からベース装置２００に送信されると、ベース装置２００からリモコン送信器２５０へと送られリモコン信号光として外部機器２３０に発信される。そして、リモコン送信器２５０から送出されたリモコン信号光が、外部機器２３０に設けられたリモコン受光部２４０で受光されることによって、モニタ装置１から外部機器２３０を制御できるように構成されている。ここで「リモコン」は、遠隔操作を行う「リモートコントローラ」の略である。
【００３２】
上記のシステムによれば、ユーザは、ベース装置２００を居間などの場所に固定的に配置し、モニタ装置１を住居内や庭などの任意の場所に持ち運んで、所望の場所で手元のモニタ装置１によって、テレビジョン放送を受信し、インターネットにアクセスし、電子メールを送受信するなどの機能を実行することができる。
【００３３】
このとき、ユーザは、モニタ装置１を手に持って使用することもできるが、後述するスタンドを開いて、モニタ装置１の底面とスタンドとによってモニタ装置１を適当な面上に適当な傾斜角で自立させてＬＣＤ（画面）２を見ることもできる。
【００３４】
図２は、本発明の電子機器が適用されたモニタ装置の一実施の形態の例を示す後方斜視図であり、スタンドにより自立した状態を表している。
【００３５】
モニタ装置１のＬＣＤ２が設けられた面と反対の背面部１ｂ下側の充電装置収納部１０に、バッテリパック（以下、単にバッテリと称する。）及び充電回路を搭載しスタンドを兼ねたスタンド一体型充電装置１１が収納される。スタンド一体型充電装置（以下、単に充電装置とも称する。）１１は、後述するヒンジ部１４，１５に設けられた回動軸を中心として回転されることにより、充電装置収納部１０より所望の角度引き出せるように構成されており、このスタンド一体型充電装置１１をスタンドとして機能させることによりモニタ装置１を卓上等に自立させることができる。
【００３６】
スタンド一体型充電装置１１は、内部のバッテリ収納部分１２及び充電回路収納部分１３にそれぞれバッテリ及び充電回路を収納するとともに、充電装置着脱ボタン１６を用いてヒンジ部１４，１５との結合面より矢印方向へと取り外すことができる構成となっている。また、スタンド一体型充電装置１１はＤＣ入力端子を備えており、ＡＣ電源アダプタ１０２の接続コネクタ１０３が接続されて、コンセントに接続した電源プラグ１０１より、ＡＣ電源アダプタ１０２を介して商用電源が供給される。
【００３７】
図３は、図２のモニタ装置の要部を示す図であり、スタンド一体型充電装置１１を、ヒンジ部１４，１５から切り離した状態を表している。
【００３８】
図３の例では、スタンド一体型充電装置１１の本体部分は略Ｕ字形状を形成し、Ｕ字の上部がモニタ装置１本体のヒンジ部１４，１５との結合面とされ、Ｕ字の溝部分にあたる位置にバッテリが収納されるとともに、Ｕ字の下部に充電回路を収納する充電回路収納部分１３が設けられた構成となっている。
【００３９】
図３に示すように、図２のモニタ装置１とスタンド一体型充電装置１１との結合面のヒンジ部側の結合面２４及び２５には、それぞれ充電装置内の充電回路等と電気的に接続するための例えば凸形状の端子２４ａ，２４ｂ、及び同じく凸形状の端子２５ａ，２５ｂが設けられている。また、ヒンジ部１４，１５の結合面２４及び２５と対応するスタンド一体型充電装置１１側の結合面２１及び２２には、上述の凸形状の端子が嵌合する凹形状、あるいは凸形状の端子が嵌挿されたときに接触するよう対となる端子２１ａ，２１ｂ、及び端子２２ａ，２２ｂが設けられ、それぞれ内部で充電回路と接続されている。各端子には、それぞれ所定の、例えば、電源を供給する電線ライン、接地線、制御用の信号線などが配線される。
【００４０】
図３の１４ａ，１５ａはヒンジ部１４，１５の回動支点となる回動軸を示す。回動機構としては、例えば、ヒンジ部１４，１５側に設けた回動軸１４ａ，１５ａを挿入する回動軸挿入穴（図示略）をモニタ装置１側に設けて、回動可能に構成することができる。あるいは、ヒンジ部１４，１５に回動軸挿入穴を設け、モニタ装置１側に設けられた回動軸を挿入して回動可能に構成するなど、その他種々の構成を採用することができる。
【００４１】
また、図３に示された１２ａは、後述するバッテリ収納穴にバッテリを収納した後にバッテリが外部に飛び出さないようバッテリをバッテリ収納穴に固定するためのバッテリ収納蓋である。また、１７は、図２に示したＡＣ電源アダプタ１０２の接続コネクタ１０３のピンプラグ（図示略）を挿入するためのＤＣ入力端子である。
【００４２】
スタンド一体型充電装置１１の充電装置着脱ボタン１６は、スタンド一体型充電装置１１がヒンジ部１４，１５と結合されているときには、例えば、内部に設けた図示しない弾性体又は弾性体と同等の機能を持つ構造により外方向へ付勢されており、これがレンジ部１４，１５からスタンド一体型充電装置１１の脱着を防止するロック機構（図示略）となっている。この充電装置着脱ボタン１６を、例えば手の親指と中指等により両外側から挟み込み内方向に押すことによって、ヒンジ部１４，１５及びスタンド一体型充電装置１１とを結合及び固定していたロックが解除され、スタンド一体型充電装置１１をヒンジ部１４，１５から取り外すことができるように構成されている。なお、ヒンジ部１４，１５とスタンド一体型充電装置１１が着脱可能な構成であれば他の構成も採用できることは勿論である。
【００４３】
図４は、図３に示すスタンド一体型充電装置１１のバッテリカバーを外した状態の外観図である。図４に示すように、バッテリを収納するバッテリ収納穴１２ｂが設けられている。そのバッテリ収納穴１２ａの充電回路収納部分１３に面した内壁部は、バッテリの端子（図示略）と接触し電気的に接続する端子２６及び２７が設けられており、この端子２６及び２７を介して、破線で示す充電回路収納部分１３に収納されている充電回路とバッテリ収納穴１２ｂに収納されたバッテリとが接続される。
【００４４】
次に、本発明の充電装置の動作について説明する。図５は、本例の機器構成を示す図である。本例は、ＡＣ電源アダプタ１０２からモニタ装置１本体への給電とバッテリ充電用給電が可能となっている。これらＡＣ電源アダプタ１０２から直接供給される、あるいはバッテリ３２より供給される電源は、ヒンジ部１４，１５とスタンド一体型充電装置１１との結合面に設置された各端子を経由してモニタ装置１本体に供給される。
【００４５】
図５において、商用電源がＡＣ電源アダプタ１０２にてＤＣ電源に変換された後、充電装置１１の充電回路３３に入力される。そして、充電回路３３内の切替え手段３４によりＡＣ電源アダプタ１０２からの供給電源が、直接又はバッテリ３２を介してモニタ装置１本体１内の回路へと入力される。図示されるように、切替え手段３４の端子３４ａにはＡＣ電源アダプタ１０２からの電源が入力され、端子３４ｂにはバッテリ３２からの電源が入力されて、端子３４ｃよりモニタ装置１本体へと供給される。切替え手段３４のＡＣ電源アダプタ１０２側の端子３４ａとバッテリ３２側の端子３４ｂの切替えは、ＡＣ電源アダプタ１０２の接続状況やバッテリ３２の装着状況、さらにはバッテリ３２の充電容量を検出する容量検出回路３５の検出結果を基に、図示しないＭＰＵ（Micro Processing Unit）などからなる制御手段により制御される。
【００４６】
本例のスタンド一体型充電装置１１は、モニタ装置１本体にスタンド一体型充電装置１１が装着されていることを検出してからモニタ装置１本体へ給電する機構、及びスタンド一体型充電装置１１にバッテリ３２が装着されていることを検出してからバッテリ３２を充電する機構を備えている。以上の２つの検出機構により、スタンド一体型充電装置１１にモニタ装置１本体及びバッテリ３２が装着されていないときには、充電回路３３からそれぞれに対して電圧が印加されることがないので、スタンド一体型充電装置１１及びモニタ装置１の安全が担保される。
【００４７】
次に、本例におけるモニタ装置１本体への電源の供給形態について説明する。まず第１の形態として、ＡＣ電源アダプタ１０２からスタンド一体型充電装置１１への給電がなく、かつスタンド一体型充電装置１１にバッテリ３２が装着されているときには、制御手段は切替え手段３４を端子３４ｂ側に切り替え、バッテリ３２からモニタ装置１本体へ給電する。
【００４８】
また第２の形態として、バッテリ３２が装着されていないか又はバッテリ３２の充電容量がゼロであり、かつ、ＡＣ電源アダプタ１０２からスタンド一体型充電装置１１への給電があるときは、制御手段は切替え手段３４を端子３４ａ側に切替え、ＡＣ電源アダプタ１０２よりモニタ装置１本体へ直接給電する。
【００４９】
さらに、第３の形態として、ＡＣ電源アダプタ１０２からの給電があるとともにバッテリ３２に充電容量があると判断したときは、切替え手段３４を端子３４ａ側に切り替え、ＡＣ電源アダプタ１０２からモニタ装置１本体へ給電するようにする。このときに、モニタ装置１本体にて消費される電力に対し供給される電力に余剰があるときは、ＡＣ電源アダプタ１０２から端子３４ａを介してモニタ装置１本体に給電しながら、同時にバッテリ３２の充電を行うようにする。
【００５０】
ここで、スタンド一体型充電装置１１が２つ用意されている場合の利用形態の一例について説明する。スタンド一体型充電装置１１が一つしかない場合、バッテリ３２の充電容量がなくなってしまうと、バッテリ３２を充電するか、又はＡＣ電源アダプタ１０２を使用してモニタ装置１本体に電源を供給する必要がある。一方、スタンド一体型充電装置１１が２つある場合は、ユーザは搭載するバッテリ３２の充電容量がゼロになったスタンド一体型充電装置１１を取り外し、予め満充電してあるバッテリが搭載された他のスタンド一体型充電装置１１と取り替えることができる。この場合、バッテリ給電によるモニタ装置１の使用を継続することができるので、ユーザの利便性が向上する。
【００５１】
本例では、ＡＣ電源アダプタ１０２をスタンド一体型充電装置１１の外部に設けるようにしているが、スタンド一体型充電装置１１に内蔵した構成とすることもできる。その場合には、充電装置を含む電源供給のための機器構成を簡略化することができるので、ユーザの使い勝手が向上する。
【００５２】
斯かる本例によれば、モニタ装置１の支えとなるスタンド部にバッテリ３２と充電回路３３を搭載してスタンド一体型充電装置１１を構成するとともに、このスタンド一体型充電装置１１をモニタ装置１から着脱可能な構成としたので、この充電装置を電子機器の一構成部材として取り扱えるとともに、モニタ装置１から取り外して単体の充電装置としても使用することができるようになり、ユーザの利便性が向上する。また、バッテリ３２及び充電回路３３をスタンド部などの可動部位に設けることにより電子機器本体から距離をあけることができ、充電装置のバッテリ３２や充電回路３３から発生する充放電時の熱を効果的に放熱することができる。
【００５３】
また、スタンド一体型充電装置１１を取り外して単体の充電装置として使用したときは、モニタ装置１とは電気的に切り離れた状態での充電動作が可能となり、充電時にモニタ装置１本体への熱的影響を防止することができるとともに、放熱効率を向上させることができる。また、スタンド一体型充電装置１１は単体としても使用できるので、ＡＣ電源アダプタ１０２を商用電源に接続できる環境であればどのような場所においても充電が可能であり、モニタ装置１を使用するときにのみスタンド一体型充電装置１１を装着すればよい。また、例えば電子機器を購入時に別途用意される充電装置が不要となるなど、ユーザの利便性を向上することもできる。
【００５４】
次に、本発明の充電装置の他の実施の形態の例について、図６を参照して説明する。図６は、図２に装着されるスタンド一体型充電装置の他の例を示し、ヒンジ部１４，１５から取り外された状態を表している。図６において、図３に対応する部分には同一符合を付して示す。
【００５５】
図６の例では図３と同様に、スタンド一体型充電装置３１の本体部分は略Ｕ字形状を形成し、Ｕ字の上部がモニタ装置１本体のヒンジ部１４，１５との結合面とされ、Ｕ字の溝部分にあたる位置にバッテリ４２が収納されるとともに、Ｕ字の下部に充電回路を収納する充電回路収納部分１３が設けられた構成となっている。
【００５６】
また、図３と同様に、図２のモニタ装置１とスタンド一体型充電装置３１との結合面のヒンジ部側の結合面２４及び２５には、それぞれ充電装置内の充電回路等と電気的に接続するための例えば凸形状の端子２４ａ，２４ｂ、及び同じく凸形状の端子２５ａ，２５ｂが設けられる。また、ヒンジ部１４，１５の結合面２４及び２５と対応するスタンド一体型充電装置３１側の結合面２１及び２２には、上述の凸形状の端子が嵌合するように形成された対の端子２１ａ，２１ｂ、及び端子２２ａ，２２ｂが設けられ、それぞれ内部で充電回路と接続されている。
【００５７】
図６において、スタンド一体型充電装置３１のバッテリ４２との結合面に形成されている穴４３ａ及び４４ａは、それぞれバッテリ４２を装着した際にバッテリ４２に設けられているロック係合部４３及び電池端子部４４が挿入されるよう設置される。図６に示すように、バッテリ４２をスタンド一体型充電装置３１に装着したときに、ロック操作部４５を矢印方向に移動することにより、ロック操作部４５に付随して移動する鉤状部材（図示略）をロック係合部４３に引っ掛けるようにして、バッテリ４２をスタンド一体型充電装置３１に固定することができる。また、電池端子部４４の各端子が充電回路との電気的接続するための所定の端子（図示せず）と接触するようになっている。
【００５８】
勿論、このバッテリ４２をスタンド一体型充電装置３１に固定するためのロック機構の構造等は、バッテリ４２を安定して固定することができればよいので、この例に限らず、その他種々の構成を適用することができる。
【００５９】
斯かる図６の例によれば、スタンド一体型充電装置３１に装着されるバッテリ４２が直接外気に触れる構成としたので、図２に示す構造よりもさらに放熱効果を向上させることができる。その他、図６に示すスタンド一体型充電装置３１は、図２の例と同様の作用効果を有する。
【００６０】
なお、上述したこれらの実施の形態の例において、モニタ装置１のスタンド部以外にもスペースがあれば、機器に付随するあらゆる機構部品の内部に上述した充電回路及びバッテリを搭載した充電装置を装着することができる。すなわち、機器のデザイン上支障のない任意の場所に、充電回路及びバッテリを搭載した充電装置を取り外し可能に装着することが可能である。
【００６１】
また、本発明は上述した実施の形態の例に限られるものではなく、表示画面を有するモニタ装置１と情報処理や外部機器とのデータ通信等を行うベース装置２００とが一体構造となされた、バッテリで駆動される薄型筐体構造の、例えば、携帯型電話機や携帯情報端末、据え置き型のテレビジョン受像機などに本発明の電子機器を適用する等、本発明の要旨を逸脱することなくその他種々の構成を採り得ることは勿論である。
【図面の簡単な説明】
【００６２】
【図１】本発明の電子機器が適用されるモニタ装置を使用したシステム構成の一例を示す図である。
【図２】モニタ装置をスタンドにより自立させた状態を示す後方斜視図である。
【図３】本発明のスタンド一体型充電装置の一実施の形態の例の説明に供する図である。図２のモニタ装置の要部を示す図である。
【図４】図３のスタンド一体型充電装置のバッテリカバーを外した状態の外観図である。
【図５】本発明の機器構成を示す図である。
【図６】本発明のスタンド一体型充電装置の他の実施の形態の例を示す外観図である。
【符号の説明】
【００６３】
１…モニタ装置、１０…充電装置収納部、１１，３１…スタンド一体型充電装置、１２…バッテリ収納部分、１３…充電回路収納部分、１４，１５…ヒンジ部、１４ａ，１５ａ…回動軸、１６…充電装置着脱ボタン、１７…ＤＣ入力端子、２１，２２，２４，２５…接合面、２１ａ，２１ｂ，２２ａ，２２ｂ，２４ａ，２４ｂ，２５ａ，２５ｂ…端子、３２，４２…バッテリ、３３…充電回路、３４…切替え手段、３５…容量検出回路、１０２…ＡＣ電源アダプタ
【図１】
2005218289.tif 000003
【図２】
2005218289.tif 000004
【図３】
2005218289.tif 000005
【図４】
2005218289.tif 000006
【図５】
2005218289.tif 000007
【図６】
2005218289.tif 000008